(57)【特許請求の範囲】
【請求項１】
モデムダイヤルイン機能を備えた通信端末装置において、モデムダイヤルイン機能の設定及び解除を行うためのダイヤルインスイッチと、バックアップ電源とに接続される処理手段を備え、該処理手段は、前記ダイヤルインスイッチによりモデムダイヤルイン機能が設定されていることを条件に、停電時でも前記バックアップ電源から供給される電源によってＣＡＲ信号を検出すると、一次応答信号として回線を閉結し、所定時間が経過した後に、受信完了信号として回線を一旦開放するものであり、前記処理手段は、前記所定時間を任意に設定可能であることを特徴とする通信端末装置。
【請求項２】
請求項１に記載の通信端末装置において、処理手段は、バックアップ電源に接続されたマイクロプロセッサである通信端末装置。
【請求項３】
請求項１または請求項２に記載の通信端末装置において、処理手段は、リレーを動作させて、回線の閉結及び開放を行う通信端末装置。
【発明の詳細な説明】
【０００１】
【発明の属する技術分野】
本発明は、ファクシミリ装置等に代表される通信端末装置に関し、より詳しくは、いわゆるモデムダイヤルイン機能を備えた通信端末装置に関するものである。
【０００２】
【従来の技術】
近年、いわゆるナンバー・ディスプレイ（発信電話番号表示）サービスが普及しつつある。このナンバー・ディスプレイサービスに加入すると、受信者は、発信側の電話番号が表示されるため、誰からの電話であるかが電話に出る前に分かる。また、誰宛の電話かが分かるため、電話に出た人が取り次ぐことなく、本人が直接電話に出ることができる。加えて、パソコン等を使用している間でも、パソコンの画面上に電話番号が表示されるため、誰からの電話かが分かる。一方、発信者は、電話をかけた受信者に安心して電話に出てもらえる。また、電話番号を受信者に通知することで、本人に直接電話に出てもらえ、取り次ぎ時間を短縮することができる。加えて、注文や予約申し込みの電話で、電話番号を告げる必要がなくなる。
【０００３】
他方、従来より、いわゆるダイヤルインサービスが普及している。受信側がダイヤルイン機能を有する構内交換機（ＰＢＸ）を備えていれば、発信者は、その構内交換機を介して、直接所望の電話番号に発呼することができる。
【０００４】
次に、モデムダイヤルイン機能（ナンバー・ディスプレイ機能とダイヤルイン機能とを備えた機能）の動作を図５に示す。
図５に示すように、発信側からの発呼が行われると、交換機は、受信側のファクシミリ装置が接続されている電話回線Ｌ（Ｌ１，Ｌ２）の極性を反転する。続いて、交換機からのＣＡＲ信号（情報受信端末起動信号：各０．５〔秒〕間毎の信号区間と休止区間とからなる１６〔Ｈｚ〕の信号）に基づいて、受信側のファクシミリ装置は、電話回線Ｌを接続して、直流ループを閉結する。すると、交換機は、モデム信号として下４桁の電話番号を受信側のファクシミリ装置に対して送出する。
【０００５】
続いて、受信側のファクシミリ装置は、受信完了信号として、電話回線Ｌを切断して、直流ループを一旦開放する。すると、交換機は、呼出信号を受信側のファクシミリ装置に対して送出する。次に、受信側のファクシミリ装置は、二次応答信号として電話回線Ｌを接続して、再度直流ループを閉結する。すると、交換機は、電話回線Ｌ（Ｌ１，Ｌ２）の極性が復極する。
【０００６】
この状態になると、発信側と受信側のファクシミリ装置との間で、通信（通話またはファクシミリ通信）を行うことができる。
【０００７】
【発明が解決しようとする課題】
しかしながら、停電時において、受信側のファクシミリ装置は、一次応答信号及び受信完了信号を送出することができないが、交換機からの呼出信号には着信することができる。このため、交換機は、極性反転から一次応答信号までの待ちタイミング６秒間待ち続ける。そして、その後交換機は、受信側のファクシミリ装置に対して呼出信号を送出する。従って、停電時においては、呼出信号が送出されてくるまで、待ちタイミング６秒間を待たなければならなかった。その結果、停電時において、受信側のファクシミリ装置は、着呼に早く応答することができなかった。
【０００８】
本発明は、このような従来の技術に存在する問題点に着目してなされたものであって、その目的は、停電時であっても、モデムダイヤルインによる着呼に早く応答することが可能な通信端末装置を提供することにある。
【０００９】
【課題を解決するための手段】
上記の目的を達成するために、請求項１に記載の発明では、モデムダイヤルイン機能を備えた通信端末装置において、モデムダイヤルイン機能の設定及び解除を行うためのダイヤルインスイッチと、バックアップ電源とに接続される処理手段を備え、該処理手段は、前記ダイヤルインスイッチによりモデムダイヤルイン機能が設定されていることを条件に、停電時でも前記バックアップ電源から供給される電源によってＣＡＲ信号を検出すると、一次応答信号として回線を閉結し、所定時間が経過した後に、受信完了信号として回線を一旦開放するものであり、前記処理手段は、前記所定時間を任意に設定可能であることを特徴とする。
【００１０】
請求項２に記載の発明では、請求項１に記載の通信端末装置において、処理手段は、バックアップ電源に接続されたマイクロプロセッサである。
請求項３に記載の発明では、請求項１または請求項２に記載の通信端末装置において、処理手段は、リレーを動作させて、回線の閉結及び開放を行う。
【００１１】
なお、以下に述べる発明の実施の形態において、特許請求の範囲または課題を解決するための手段に記載の「通信端末装置」はファクシミリ装置１１に相当し、同じく「処理手段」はサブＣＰＵ５１に相当する。
【００１２】
【発明の実施の形態】
以下に、本発明を具体化した一実施形態を図面を用いて説明する。
図１に示すように、ファクシミリ装置１１は、ファクシミリ通信動作を行うファクシミリ装置本体１２と、電話回線Ｌ（Ｌ１，Ｌ２）との接続を制御するＮＣＵ（ネットワークコントロールユニット）１３と、通信相手との間で通話を行うための付属電話機１４とを有している。また、ファクシミリ装置１１には図示しないケーブルを介して子電話機１５が接続され、この子電話機１５によっても通信相手との間で通話を行うことができる。
【００１３】
ここで、まずファクシミリ装置本体１２の構成について説明する。
ＣＰＵ２１は、ファクシミリ装置１１を構成する各部の動作を制御する。ＲＯＭ２２は、ファクシミリ装置１１を制御するために必要な各種のプログラム等を記憶している。ＲＡＭ２３は、ＣＰＵ２１の演算処理に必要なデータ等の各種情報を一時的に記憶する。
【００１４】
読取部２４は、原稿上の画像データを読み取って、白黒２値のイメージデータを出力する。記録部２５は、電子写真方式のプリンタよりなり、受信画データやコピー動作において、読取部２４にて読み取られた原稿の画データを記録紙上に記録する。
【００１５】
操作部２６は、電話番号等を入力するためのテンキー（＊，＃キーを含む）、短縮番号の登録、短縮番号から発信するための短縮キー、原稿の読み取り動作を開始させるためのスタートキー、「通信（ＦＡＸ）」動作又は「コピー」動作を設定するための通信（ＦＡＸ）／コピーキー等の各種操作キーを備えている。ＬＣＤ等よりなる表示部２７は、ファクシミリ装置１１の動作状態等の各種情報の表示を行う。鳴動部２８は、呼出信号の検出或いは後述するサブＣＰＵ５１からの制御に基づいて鳴動する。
【００１６】
画像メモリ２９は、受信画データや読取部２４で読み取られ、コーデック３０でＭＨ、ＭＲ、或いはＭＭＲ方式等で圧縮符号化された画データを一時的に記憶する。コーデック３０は、読取部２４にて読み取られた画データを送信のためにＭＨ、ＭＲ、或いはＭＭＲ方式等により符号化（エンコード）する。また、コーデック３０は、受信画データを復号（デコード）する。
【００１７】
モデム３１は、ＩＴＵ−Ｔ勧告Ｖ．２３及びＩＴＵ−Ｔ勧告Ｔ．３０に従ったファクシミリ伝送制御手順に基づいて、Ｖ．１７，Ｖ．２７ｔｅｒ，Ｖ．２９等のいずれかに従った送受信データの変調及び復調を行う。
【００１８】
次に、ＮＣＵ１３の構成について説明する。
モデム３１は、トランス４１を介して電話回線Ｌと接続されている。ＣＭＬリレー４２は、電話回線Ｌとモデム３１との間に配置され、リレー制御部４３からの制御により、電話回線Ｌを閉結及び開放する。なお、電話回線Ｌは、閉結に伴いモデム３１を介した直流ループを形成し、開放に伴いその直流ループを開放する。ダイヤル信号発生回路４４は、トランス４１とＣＭＬリレー４２との間に配置され、リレー制御部４３からの制御により、ダイヤル信号を発生する。
【００１９】
呼出信号検出回路４５は、電話回線Ｌに接続され、その電話回線Ｌ上の１６〔Ｈｚ〕の呼出信号を検出する。そして、その検出信号は、ＣＰＵ２１及び後述するサブＣＰＵ５１に送出される。
【００２０】
第１及び第２オフフック検出回路４６，４７は、それぞれ付属電話機１４及び子電話機１５のオフフック（ハンドセットを取り上げた状態）を検出する。そして、その検出信号は、ＣＰＵ２１及び後述するサブＣＰＵ５１に送出される。
【００２１】
第１リレー４８及び第２リレー４９は、各電話機１４，１５を電話回線Ｌ側と呼出信号検出回路４５側とに択一的に接続するために設けられている。リレー制御部４３は、ＣＰＵ２１からの制御に基づいて、ＣＭＬリレー４２、ダイヤル信号発生回路４４、第１リレー４８及び第２リレー４９を制御する。
【００２２】
モデムダイヤルイン処理部５０は、ナンバー・ディスプレイ機能とダイヤルイン機能とを備えている。すなわち、モデムダイヤルイン機能を備えている。サブＣＰＵ５１には、モデムダイヤルインの設定及び解除を行うためのダイヤルインスイッチ５２と、所定時間の経過を計測するためのタイマ５３と、停電時に呼出音を鳴動させるための鳴動部２８が接続されている。また、サブＣＰＵ５１には、バックアップ電源が接続されている。すなわち、停電時であっても、このバックアップ電源により、サブＣＰＵ５１は動作するように構成されている。つまり、停電時において、第１及び第２オフフック検出回路４６，４７でオフフックが検出された場合は、このサブＣＰＵ５１がＣＭＬリレー４２を制御する。
【００２３】
以上のように構成されたファクシミリ装置１１において、通電時及び停電時の動作について、図２〜図４に示すフローチャートを用いて説明する。なお、通電時においては、ＣＰＵ２１の制御により実行される。一方、停電時においては、サブＣＰＵ５１の制御により実行される。また、図５に示すモデムダイヤルインの手順説明図を参照しながら行う。
【００２４】
さて、発信側からの発呼に基づいて、交換機によって電話回線Ｌ（Ｌ１，Ｌ２）の極性が反転されると、
図２に示すステップＳ１においては、モデムダイヤルインが設定されているか否かが判断される。具体的には、ダイヤルインスイッチ５２が設定されているか否かが判断される。そして、ダイヤルインスイッチ５２が設定されている場合は、ステップＳ３に移行する。ダイヤルインスイッチ５２が設定されていない場合は、ステップＳ２に移行する。
【００２５】
ステップＳ２においては、ダイヤルインが設定されていない場合の他の処理が実行されて、この処理を終了する。
ステップＳ３においては、停電時か否かが判断される。具体的には、サブＣＰＵ５１により停電時であるか否かが判断される。そして、停電時には、図４に示すステップＳ２１に移行する。一方、停電時でない場合、すなわち通電時には、ステップＳ４に移行する。
【００２６】
ステップＳ４においては、ＣＡＲ信号（情報受信端末起動信号）が検出されたか否かが判断される。具体的には、通電時であるため、呼出信号検出回路４５でＣＡＲ信号が検出されたか否かが判断される。そして、ＣＡＲ信号が検出された場合は、ステップＳ５に移行する。一方、ＣＡＲ信号が検出されない場合は、ステップＳ９に移行する。
【００２７】
ステップＳ５においては、交換機に対し、一次応答信号として電話回線Ｌが接続される。具体的には、ＣＰＵ２１からの制御により、リレー制御部４３を介してＣＭＬリレー４２が動作され、電話回線Ｌが接続されて、直流ループが閉結される。
【００２８】
ステップＳ６においては、交換機からＶ．２３に従って送出されてくるモデム信号が検出されたか否かが判断される。具体的には、通電時であるため、モデム３１でモデム信号が検出されたか否かが判断される。そして、モデム信号が検出された場合は、ステップＳ８に移行する。一方、モデム信号が検出されない場合は、ステップＳ７に移行する。
【００２９】
ステップＳ７においては、所定時間（例えば２〔秒〕）が経過したか否かが判断される。所定時間が経過した場合は、ステップＳ８に移行する。一方、所定時間が経過していない場合は、ステップＳ６に戻る。すなわち、図５に示すように、交換機がモデム信号を送出してからの最長の待ちタイミングは、７〔秒〕である。なお、モデムダイヤルインサービスに加入した場合は、受信完了信号の到着待ちタイミングは、２〔秒〕となる。
【００３０】
ステップＳ８においては、交換機に対し、受信完了信号として電話回線Ｌが一旦開放される。具体的には、ＣＰＵ２１からの制御により、リレー制御部４３を介してＣＭＬリレー４２が動作され、電話回線Ｌが一旦開放されて、直流ループが開放される。
【００３１】
ステップＳ９においては、発信側の発呼に基づく交換機からの呼出信号が検出されたか否かが判断される。具体的には、呼出信号検出回路４５で呼出信号が検出されるのが待たれる。そして、呼出信号が検出された場合は、図３に示すステップＳ１１に移行する。
【００３２】
図３に示すステップＳ１１においては、図２に示すステップＳ９における呼出信号の検出に基づいて、鳴動部２８が鳴動される。
ステップＳ１２においては、付属電話機１４又は子電話機１５がオフフックが検出されたか否かが判断される。具体的には、付属電話機１４又は子電話機１５がオフフックされ、第１又は第２オフフック検出回路４６，４７でオフフックが検出されたか否かが判断される。そして、付属電話機１４又は子電話機１５がオフフックが検出された場合は、ステップＳ１３に移行する。一方、付属電話機１４又は子電話機１５がオフフックが検出されない場合は、前記ステップＳ１１に戻って、鳴動部２８が鳴動され続ける。
【００３３】
ステップＳ１３においては、前記ステップＳ１２におけるオフフックの検出に基づいて、交換機に対し、二次応答信号として電話回線Ｌが再度接続され、直流ループが閉結される。また、交換機によって電話回線Ｌ（Ｌ１，Ｌ２）が復極される。
【００３４】
ステップＳ１４においては、前記ステップＳ１２におけるオフフックの検出に基づいて、鳴動部２８の鳴動が停止される。
ステップＳ１５においては、発信側との間で、通信（通話又はファクシミリ通信）が行われる。
【００３５】
図４に示すステップＳ２１においては、サブＣＰＵ５１に接続されているバックアップ電源が起動される。すなわち、停電時においては、モデムダイヤルイン処理部５０を構成するサブＣＰＵ５１にのみ電源が供給される。
【００３６】
ステップＳ２２においては、ＣＡＲ信号が検出されたか否かが判断される。具体的には、サブＣＰＵ５１は、呼出信号検出回路４５でＣＡＲ信号が検出されたか否かが判断される。そして、ＣＡＲ信号が検出された場合は、ステップＳ２３に移行する。
【００３７】
ステップＳ２３においては、交換機に対し、一次応答信号として電話回線Ｌが接続される。具体的には、サブＣＰＵ５１からの制御により、ＣＭＬリレー４２が動作され、電話回線Ｌが接続されて、直流ループが閉結される。
【００３８】
ステップＳ２４においては、所定時間（例えば１〜５〔秒〕）が経過したか否かが判断される。具体的には、タイマ５３で所定時間が経過したか否かが判断される。そして、所定時間が経過した場合は、ステップＳ２５に移行する。
【００３９】
ステップＳ２５においては、交換機に対し、受信完了信号として電話回線Ｌが一旦開放される。具体的には、サブＣＰＵ５１からの制御により、ＣＭＬリレー４２が動作され、電話回線Ｌが一旦開放されて、直流ループが開放される。
【００４０】
ステップＳ２６においては、発信側の発呼に基づく交換機からの呼出信号が検出されたか否かが判断される。具体的には、呼出信号検出回路４５で呼出信号が検出されたか否かが判断される。なお、停電時であっても、呼出信号検出回路４５は、交換機からの１６〔Ｈｚ〕の交流信号（７５〔Ｖｒｍｓ〕）により、呼出信号を検出することが可能である。そして、呼出信号が検出された場合は、ステップＳ２７に移行する。一方、呼出信号が検出されない場合は、前記ステップＳ２２に戻る。
【００４１】
ステップＳ２７においては、前記ステップＳ２７における呼出信号の検出に基づいて、鳴動部２８が鳴動される。
ステップＳ２８においては、付属電話機１４又は子電話機１５がオフフックが検出されたか否かが判断される。具体的には、付属電話機１４又は子電話機１５がオフフックされ、第１又は第２オフフック検出回路４６，４７でオフフックが検出されたか否かが判断される。そして、付属電話機１４又は子電話機１５がオフフックが検出された場合は、ステップＳ２９に移行する。一方、付属電話機１４又は子電話機１５がオフフックが検出されない場合は、前記ステップＳ２７に戻って、鳴動部２８が鳴動され続ける。
【００４２】
ステップＳ２９においては、前記ステップＳ２８におけるオフフックの検出に基づいて、交換機に対し、二次応答信号として電話回線Ｌが再度接続され、直流ループが閉結される。また、交換機によって電話回線Ｌ（Ｌ１，Ｌ２）が復極される。
【００４３】
ステップＳ３０においては、前記ステップＳ２８におけるオフフックの検出に基づいて、鳴動部２８の鳴動が停止される。
ステップＳ３１においては、発信側との間で、通信（通話又はファクシミリ通信）が行われる。
【００４４】
以上、詳述したように本実施形態によれば、次のような作用、効果を得ることができる。
（１）停電時において、ＣＡＲ信号が検出されると、ＣＭＬリレー４２が動作され、一次応答信号として電話回線Ｌが接続されて、直流ループが閉結される。そして、所定時間（１〜５〔秒〕）が経過した後、ＣＭＬリレー４２が動作され、受信完了信号として電話回線Ｌが一旦開放されて、直流ループが開放される。その後、ＣＭＬリレー４２が動作され、二次応答信号として再度電話回線Ｌが接続されて、直流ループが閉結される。このため、待ちタイミング６秒間を待つことなく、発信側からの発呼に基づく交換機からの呼出信号を検出することができる。従って、停電時であっても、ダイヤルインによる着呼に早く応答することができる。
【００４５】
（２）バックアップ電源に接続されているのは、モデムダイヤルイン処理部５０を構成するサブＣＰＵ５１のみである。このため、停電時において、バックアップ電源の電力消費は、最低限に抑制される。従って、長時間の停電に対応することができる。
【００４６】
（３）図４に示すステップＳ２４において、所定時間は任意に設定できるように構成している。すなわち、ナンバー・ディスプレイサービスにおいては、相手の電話番号の前に「１８４」をつけてダイヤルすると、その通話に限り、電話番号が受信側に通知されない。このため、モデム信号の情報量は、常に一定ではない。従って、モデム信号の情報量に対応させることができる。
【００４７】
なお、前記実施形態は、次のように変更して具体化することも可能である。
・サブＣＰＵ５１を設けることなく、停電時であってもＣＰＵ２１にサブＣＰＵ５１の制御を行わせるように構成しても良い。
【００４８】
・図４に示すステップＳ２４の処理における所定時間の設定を１〜５〔秒〕以外の設定にしても良い。ただし、この場合であっても、６〔秒〕以上に設定することはない。最長の待ちタイミング６〔秒〕よりも長くなるからである。
【００４９】
さらに、上記実施形態より把握される請求項以外の技術的思想について、以下にそれらの効果と共に記載する。
〔１〕請求項１〜請求項３のいずれか１項に記載の通信端末装置において、着信の旨を報知する鳴動手段を備えた通信端末装置。
【００５０】
このように構成すれば、鳴動手段で着信の旨が報知される。従って、この報知に基づいて、素早く着信に応答することができる。
【００５２】
【発明の効果】
本発明は、以上のように構成されているため、次のような効果を奏する。
請求項１〜請求項３のいずれか１項に記載の発明によれば、停電時であっても、モデムダイヤルインによる着呼に早く応答することができる。また、モデム信号の情報量に対応させることができる。
【図面の簡単な説明】
【図１】一実施形態におけるファクシミリ装置の構成を示すブロック図。
【図２】通電時及び停電時の動作を示すフローチャート。
【図３】通電時及び停電時の動作を示すフローチャート。
【図４】通電時及び停電時の動作を示すフローチャート。
【図５】モデムダイヤルインの手順説明図。
【符号の説明】
１…通信端末装置としてのファクシミリ装置、４２…リレーとしてのＣＭＬリレー、５１…処理手段及びマイクロプロセッサとしてのサブＣＰＵ、Ｌ（Ｌ１，Ｌ２）…電話回線。
【図１】
0003682492.tif 000002
【図２】
0003682492.tif 000003
【図３】
0003682492.tif 000004
【図４】
0003682492.tif 000005
【図５】
0003682492.tif 000006